(57)【特許請求の範囲】
【請求項１】
給水通路から供給される水を加熱して給湯通路へ送出する給湯熱交換器と、浴槽湯水の追い焚き循環通路に組み込まれ循環湯水の追い焚きを行う追い焚き熱交換器とが一体化され、この一体化された給湯熱交換器と追い焚き熱交換器を加熱する共通のバーナを備え、前記給水通路の給水温度を検出する給水温度検出センサと、前記給湯通路の給湯温度を検出する給湯温度検出センサとを備え、前記追い焚き熱交換器を加熱して風呂の追い焚きを行なう追い焚き燃焼の機能と、前記給湯熱交換器を加熱して給湯を行なう給湯燃焼の機能を備えた一缶多水路風呂給湯器であって、追い焚き燃焼と給湯燃焼の同時燃焼時における熱交換器の総吸熱量を前記バーナに供給されるガス量に基づいて求める同時燃焼時吸熱量検出手段と；前記同時燃焼時における給湯側の吸熱量を前記給水温度検出センサの検出温度と前記給湯温度検出センサの検出温度と給湯設定温度の湯が得られる流量の情報とに基づいて求める給湯側吸熱量検出手段と；前記同時燃焼時吸熱量検出手段によって求められる同時燃焼時の総吸熱量と、前記給湯側吸熱量検出手段によって求められる給湯側の吸熱量によって、追い焚き側の吸熱量＝同時燃焼時の総吸熱量−給湯側吸熱量×補正係数の関係式により前記同時燃焼時における追い焚き側の吸熱量を求める追い焚き吸熱量検出手段と；給湯単独燃焼時のフィードフォワード熱量とフィードバック熱量をあわせたトータル熱量のうちのフィードバック熱量の変動量に基づいて前記関係式の補正係数を求める補正係数決定部と；を有することを特徴とする一缶多水路風呂給湯器。
【請求項２】
補正係数決定部は、フィードバック熱量の変動量（ＦＦＫ）を、フィードフォワード熱量(ＦＦ)とフィードバック熱量（ＦＢ）とにより、ＦＦＫ＝（ＦＦ＋ＦＢ）／ＦＦの式によって求めることを特徴とする請求項１記載の一缶多水路風呂給湯器。
【請求項３】
補正係数決定部は、フィードバック熱量の変動量を予め定められる補正係数決定更新タイミングごとに求め、予め与えられる補正係数決定ルールに従って前記補正係数決定更新タイミングごとに補正係数を更新する構成としたことを特徴とする請求項１又は請求項２記載の一缶多水路風呂給湯器。
【請求項４】
補正係数決定部には、補正係数決定更新タイミングごとに求めたフィードバック熱量の変動量が１よりも大きい値のときには該変動量に向けて前記更新タイミングことに補正係数を予め与えた値だけ段階的に加算していき、前記更新タイミングごとに求めたフィードバック熱量の変動量が１よりも小さい値のときには該変動量に向けて前記更新タイミングことに補正係数を予め与えた値だけ段階的に減算していき、前記変動量と補正係数とが等しくなった以降は該変動量を補正係数とする補正係数決定ルールが与えられていることを特徴とする請求項３記載の一缶多水路風呂給湯器。
【請求項５】
補正係数決定部には、補正係数決定更新タイミングごとに求めたフィードバック熱量の変動量が１よりも大きい値のときには該変動量に向けて前記更新タイミングごとに補正係数を予め与えた値だけ段階的に加算していき、前記更新タイミングごとに求めたフィードバック熱量の変動量が１よりも小さい値のときには該変動量に向けて前記更新タイミングごとに補正係数を予め与えた値だけ段階的に減算していき、前記変動量と補正係数とが等しくなった以降に前記更新タイミングごとに求めるフィードバック熱量の変動量が変化し、かつ、該変化後の変動量と１との差が変化前の変動量と１との差よりも小さいときには補正係数を一気に変化後の変動量に更新する補正係数決定ルールが与えられていることを特徴とする請求項３記載の一缶多水路風呂給湯器。
【請求項６】
補正係数決定部には、補正係数決定更新タイミングことに求めたフィードバック熱量の変動量が１よりも大きい値から１よりも小さい値に変化したとき及び、前記変動量が１よりも小さい値から１よりも大きい値に変化したときには、補正係数を１とする補正係数決定ルールが与えられていることを特徴とする請求項３乃至請求項５のいずれか一つに記載の一缶多水路風呂給湯器。
【請求項７】
補正係数決定部は、補正係数決定更新タイミングごとに求めた変動量が予め与えられた変動量上限値を上側に超えたときには補正係数を該変動量上限値以下とする補正係数上限値決定機能と前記変動量が予め与えられた変動量下限値を下側に超えたときには補正係数を該変動量下限値以上とする補正係数下限値決定機能の少なくとも一方の機能を備えていることを特徴とする請求項３乃至請求項６のいずれか一つに記載の一缶多水路風呂給湯器。
【請求項８】
バーナは複数の燃焼面を有しバーナへの要求燃焼熱量に応じてこれらの燃焼面を切り替えて燃焼させる多段燃焼方式バーナにより構成され、同時燃焼時において燃焼するバーナの燃焼面に対応させて補正係数決定ルールが与えられていることを特徴とする請求項１乃至請求項７のいずれか一つに記載の一缶多水路風呂給湯器。
【請求項９】
補正係数決定部による補正係数決定動作の開始を許可する補正係数決定許可部が設けられており、該補正係数決定許可部は予め与えられた補正係数決定動作の禁止条件が解除された以降に補正係数決定部の補正係数決定動作開始を許可することを特徴とする請求項１乃至請求項８のいずれか一つに記載の一缶多水路風呂給湯器。
【発明の詳細な説明】
【０００１】
【発明の属する技術分野】
本発明は、風呂の追い焚き機能と給湯機能を備えた一缶二水路風呂給湯器などの一缶多水路風呂給湯器に関するものである。
【０００２】
【従来の技術】
図６には出願人が開発している一缶多水路風呂給湯器としての一缶二水路風呂給湯器のシステム構成が示されている。同図において、器具ケース１内には給湯熱交換器２と追い焚き熱交換器３とが一体化されて配設されている。すなわち、複数の共通のフィンプレート４に給湯側の管路を貫通装着して給湯熱交換器２と成し、同じくフィンプレート４に追い焚き側の管路を貫通装着して追い焚き熱交換器３と成している。
【０００３】
これら一体化された熱交換器の下方側には給湯熱交換器２と追い焚き熱交換器３を共通に加熱するバーナ５が配置されており、このバーナ５の燃焼の給排気を行う燃焼ファン６が下側に配置されている。バーナ５にはガス通路６が接続されており、このガス通路６には通路の開閉を行う電磁弁７，８とガスの供給量（バーナの燃焼熱量）を開弁量によって制御する比例弁１０が介設されている。なお、前記比例弁１０の開弁量制御は、具体的には、比例弁１０に印加される電流（開弁駆動電流）の可変制御によって行われている。
【０００４】
前記給湯熱交換器２の入側には給水通路としての給水管１１が接続されており、この給水管１１には給水管１１の給水温度を検出する給水温度検出センサ１２と、給水流量を検出する流量検出センサ１３が設けられている。なお、給水管１１の入口側は水道管に接続されている。
【０００５】
前記給湯熱交換器２の出側には給湯通路としての給湯管１４が接続されており、この給湯管１４は外部配管を介して台所等の所望の給湯場所に導かれている。前記給湯熱交換器２の出側の流路には給湯温度を検出する給湯温度センサ１５が設けられている。なお、この一缶多水路風呂給湯器においては、前記給湯管１１から給水された水は給湯熱交換器２を通って湯となり、給湯管１４に送出されるようになっており、この給湯機においては、前記流量検出センサ１３は、このように、給水管１１から給湯熱交換器２を通って給湯管１４に送出される湯水の流量を検出し、給湯設定温度の湯が得られる流量を検出する。
【０００６】
前記追い焚き熱交換器３の入側には管路１６の一端側が接続され、管路１６の他端側は循環ポンプ１７の吐出側に接続されている。そして、循環ポンプ１７の吸込側と浴槽１８は戻り管２０によって接続されており、この戻り管２０には浴槽１８の循環湯水の温度を風呂温度として検出する風呂温度センサ２１が設けられている。前記追い焚き熱交換器３の出側には往管２２の一端側が接続され、往管２２の他端側は浴槽１８に接続されており、浴槽１８から戻り管２０を介して循環ポンプ１７、管路１６、追い焚き熱交換器３および往管２２を介して浴槽１８に至る通路は追い焚き循環通路２３を構成している。
【０００７】
前記給湯熱交換器２の給湯管１４は給湯通路として機能し、この給湯管１４と追い焚き循環通路２３（図６においては管路１６）は湯張り通路２４によって連通接続されており、この湯張り通路２４には通路の開閉を行う電磁弁等により構成される注湯弁２５が介設され、この注湯弁２５の下流側の湯張り通路２４には浴槽１８の水位を水圧によって検出する水位センサ（圧力センサ）２６が設けられている。
【０００８】
前記流量検出センサ１３、温度センサ１２，１５，２１、水位センサ２６等のセンサ検出信号は制御装置２７に加えられており、この制御装置２７にはリモコン２８が接続されている。このリモコン２８には給湯温度を設定する給湯温度設定手段や、風呂温度を設定する風呂温度設定手段や、湯張り運転を指令するボタンや、必要な情報を表示する表示部等が設けられている。
【０００９】
前記制御装置２７は各種センサ検出信号とリモコン２８の情報を取り込み、内部に与えられているシーケンスプログラムに従い、給湯運転と、湯張り運転と、追い焚き運転を次のように制御する。
【００１０】
例えば、台所等に導かれた給湯通路の水栓３０が開けられ、流量検出センサ１３により作動流量が検出されると、燃焼ファン６の回転が行われ、電磁弁７，８の開動作が行われてバーナ５に燃料ガスが供給されると共に、図示されていない点着火手段によりバーナ５の燃焼が行われ、給湯温度センサ１５で検出される給湯温度がリモコン２８で設定される給湯設定温度に一致するように比例弁１０への開弁駆動電流を制御し、給湯熱交換器２を通る水をバーナ５の火炎により加熱して設定温度の湯を作り出し、この湯を給湯管１４を介して給湯場所へ給湯する。
【００１１】
そして、水栓３０が閉められて、流量検出センサ１３からオフ信号が出力されたときに、バーナ燃焼を停止し、給湯運転モードの動作を終了する。
【００１２】
また、リモコン２８により湯張り運転モードが指令されると、注湯弁２５が開けられる。そして、流量検出センサ１３により作動流量が検出されると、給湯運転の場合と同様にバーナ５の燃焼が開始し、給湯熱交換器２で作り出された湯は給湯管１４、湯張り通路２４を通り、さらに分岐して管路１６から追い焚き熱交換器３を経て往管２２を通る通路と戻り管２０を通る通路の両側から浴槽１８に湯が落とし込まれる。そして、設定水位までの湯の水量が落とし込まれたとき、又は水位センサ２６により設定水位が検出されたときに注湯電磁弁２５が閉じられバーナ５の燃焼が停止して湯張り運転モードの動作が終了する。
【００１３】
追い焚き運転モードの動作においては、注湯弁２５が閉じられている状態で、循環ポンプ１７が回転駆動され、浴槽１８内の湯水の循環が追い焚き循環通路２３を介して行われ、風呂温度センサ２１により浴槽の風呂温度が検出される。そして、風呂検出温度が風呂設定温度よりも低いときには、バーナ５の燃焼が行われ、追い焚き循環通路２３を通して循環する浴槽湯水を追い焚き熱交換器３で加熱する。風呂温度センサ２１により浴槽湯水の温度が風呂設定温度に達したことが検出されたときに、循環ポンプ１７の停止とバーナ５の燃焼停止が行われて追い焚き運転モードの動作が終了する。
【００１４】
上記の如く、一缶二水路風呂給湯器は、共通のバーナ５を用いて一体化された給湯熱交換器２と追い焚き熱交換器３を加熱する方式なので、別体に設けられた給湯熱交換器と追い焚き熱交換器をそれぞれ別個のバーナを用いて燃焼加熱する方式に比べ、装置構成の簡易化が図れ、これに伴い、装置（器具）の小型化とコスト低減が図れることになる。
【００１５】
【発明が解決しようとする課題】
ところで、上記のような一缶二水路風呂給湯器においては、追い焚き熱交換器３と給湯熱交換器２とを共通のバーナ５によって加熱するため、追い焚きと給湯の同時燃焼時における追い焚き側の吸熱量は、同時燃焼時における熱交換器の総吸熱量から給湯側の吸熱量を差し引いて求めていた。
【００１６】
しかしながら、前記給湯側の吸熱量は、給水温度検出センサ１２によって検出される給水温度と、給湯温度センサ１５によって検出される給湯温度と、流量検出センサ１３によって検出される流量とに基づいて求められるものであるために、給水温度検出センサ１２や給湯温度センサ１５、流量検出センサ１３センサ出力にばらつきがあると、追い焚き側の吸熱量を正確に求めることができないといった問題があった。
【００１７】
本発明は、上記課題を解決するためになされたものであり、その目的は、給湯燃焼と追い焚き燃焼の同時燃焼時における追い焚き側の吸熱量を正確に求めることができる一缶多水路風呂給湯器を提供することにある。
【００１８】
【課題を解決するための手段】
上記目的を達成するために、本発明は次のような構成をもって課題を解決するための手段としている。すなわち、本第１の発明は、給水通路から供給される水を加熱して給湯通路へ送出する給湯熱交換器と、浴槽湯水の追い焚き循環通路に組み込まれ循環湯水の追い焚きを行う追い焚き熱交換器とが一体化され、この一体化された給湯熱交換器と追い焚き熱交換器を加熱する共通のバーナを備え、前記給水通路の給水温度を検出する給水温度検出センサと、前記給湯通路の給湯温度を検出する給湯温度検出センサとを備え、前記追い焚き熱交換器を加熱して風呂の追い焚きを行なう追い焚き燃焼の機能と、前記給湯熱交換器を加熱して給湯を行なう給湯燃焼の機能を備えた一缶多水路風呂給湯器であって、追い焚き燃焼と給湯燃焼の同時燃焼時における熱交換器の総吸熱量を前記バーナに供給されるガス量に基づいて求める同時燃焼時吸熱量検出手段と；前記同時燃焼時における給湯側の吸熱量を前記給水温度検出センサの検出温度と前記給湯温度検出センサの検出温度と給湯設定温度の湯が得られる流量の情報とに基づいて求める給湯側吸熱量検出手段と；前記同時燃焼時吸熱量検出手段によって求められる同時燃焼時の総吸熱量と、前記給湯側吸熱量検出手段によって求められる給湯側の吸熱量によって、追い焚き側の吸熱量＝同時燃焼時の総吸熱量−給湯側吸熱量×補正係数の関係式により前記同時燃焼時における追い焚き側の吸熱量を求める追い焚き吸熱量検出手段と；給湯単独燃焼時のフィードフォワード熱量とフィードバック熱量をあわせたトータル熱量のうちのフィードバック熱量の変動量に基づいて前記関係式の補正係数を求める補正係数決定部と；を有する構成を持って課題を解決する手段としている。
【００１９】
また、本第２の発明は、上記本第１の発明の構成に加え、前記補正係数決定部は、フィードバック熱量の変動量（ＦＦＫ）を、フィードフォワード熱量(ＦＦ)とフィードバック熱量（ＦＢ）とにより、ＦＦＫ＝（ＦＦ＋ＦＢ）／ＦＦの式によって求める構成を持って課題を解決する手段としている。
【００２０】
さらに、本第３の発明は、上記本第１または第２の発明の構成に加え、前記補正係数決定部は、フィードバック熱量の変動量を予め定められる補正係数決定更新タイミングごとに求め、予め与えられる補正係数決定ルールに従って前記更新タイミングごとに補正係数を更新する構成を持って課題を解決する手段としている。
【００２１】
さらに、本第４の発明は、上記本第３の発明の構成に加え、前記補正係数決定部には、補正係数決定更新タイミングごとに求めたフィードバック熱量の変動量が１よりも大きい値のときには該変動量に向けて前記更新タイミングことに補正係数を予め与えた値だけ段階的に加算していき、前記更新タイミングごとに求めたフィードバック熱量の変動量が１よりも小さい値のときには該変動量に向けて前記更新タイミングことに補正係数を予め与えた値だけ段階的に減算していき、前記変動量と補正係数とが等しくなった以降は該変動量を補正係数とする補正係数決定ルールが与えられている構成を持って課題を解決する手段としている。
【００２２】
さらに、本第５の発明は、上記本第３の発明の構成に加え、前記補正係数決定部には、補正係数決定更新タイミングごとに求めたフィードバック熱量の変動量が１よりも大きい値のときには該変動量に向けて前記更新タイミングごとに補正係数を予め与えた値だけ段階的に加算していき、前記更新タイミングごとに求めたフィードバック熱量の変動量が１よりも小さい値のときには該変動量に向けて前記更新タイミングごとに補正係数を予め与えた値だけ段階的に減算していき、前記変動量と補正係数とが等しくなった以降に前記更新タイミングごとに求めるフィードバック熱量の変動量が変化し、かつ、該変化後の変動量と１との差が変化前の変動量と１との差よりも小さいときには補正係数を一気に変化後の変動量に更新する補正係数決定ルールが与えられている構成を持って課題を解決する手段としている。
【００２３】
さらに、本第６の発明は、上記本第３乃至第５のいずれか一つの発明の構成に加え、前記補正係数決定部には、補正係数決定更新タイミングことに求めたフィードバック熱量の変動量が１よりも大きい値から１よりも小さい値に変化したとき及び、前記変動量が１よりも小さい値から１よりも大きい値に変化したときには、補正係数を１とする補正係数決定ルールが与えられている構成を持って課題を解決する手段としている。
【００２４】
さらに、本第７の発明は、上記本第３乃至第６のいずれか一つの発明の構成に加え、前記補正係数決定部は、補正係数決定更新タイミングごとに求めた変動量が予め与えられた変動量上限値を上側に超えたときには補正係数を該変動量上限値以下とする補正係数上限値決定機能と前記変動量が予め与えられた変動量下限値を下側に超えたときには補正係数を該変動量下限値以上とする補正係数下限値決定機能の少なくとも一方の機能を備えている構成を持って課題を解決する手段としている。
【００２５】
さらに、本第８の発明は、上記本第１乃至第７のいずれか一つの発明の構成に加え、前記バーナは複数の燃焼面を有しバーナへの要求燃焼熱量に応じてこれらの燃焼面を切り替えて燃焼させる多段燃焼方式バーナにより構成され、同時燃焼時において燃焼するバーナの燃焼面に対応させて補正係数決定ルールが与えられている構成を持って課題を解決する手段としている。
【００２６】
さらに、本第９の発明は、上記本第１乃至第８のいずれか一つの構成に加え、前記補正係数決定部による補正係数決定動作の開始を許可する補正係数決定許可部が設けられており、該補正係数決定許可部は予め与えられた補正係数決定動作の禁止条件が解除された以降に補正係数決定部の補正係数決定動作開始を許可する構成を持って課題を解決する手段としている。
【００２７】
上記構成の本発明において、追い焚き燃焼と給湯燃焼の同時燃焼時における熱交換器の総吸熱量が、バーナに供給されるガス量に基づいて同時燃焼時吸熱量検出手段により求められ、前記同時燃焼時における給湯側の吸熱量が、給水温度検出センサの検出温度と給湯温度検出センサの検出温度と流量検出センサの検出流量とに基づいて給湯側吸熱量検出手段により求められる。
【００２８】
そして、前記同時燃焼時吸熱量検出手段によって求められる同時燃焼時の総吸熱量と、前記給湯側吸熱量検出手段によって求められる給湯側の吸熱量によって、前記同時燃焼時における追い焚き側の吸熱量が、追い焚き側の吸熱量＝同時燃焼時の総吸熱量−給湯側吸熱量×補正係数の関係式により、追い焚き吸熱量検出手段によって求められる。
【００２９】
この追い焚き吸熱量検出手段による追い焚き燃焼熱量検出に際し、本発明においては、給湯単独燃焼時のフィードフォワード熱量とフィードバック熱量をあわせたトータル熱量のうちのフィードバック熱量の変動量に基づいて、前記関係式の補正係数が補正係数決定部によって求められ、この補正係数を前記関係式に代入することにより、前記の如く、追い焚き側の吸熱量が追い焚き吸熱量検出手段によって求められる。
【００３０】
このように、本発明においては、前記同時燃焼時の追い焚き燃焼熱量を求めるに際し、前記同時燃焼時における給湯側の吸熱量を、給湯単独燃焼時におけるバーナへのトータル供給熱量のうちのフィードバック熱量の変動量に基づいて補正し、この補正した値を同時燃焼時における総燃焼熱量から差し引いて求めるために、給湯側の吸熱量を求めるために用いられる給水温度検出センサや給湯温度センサや流量検出センサのセンサ出力にばらつきが生じても、正確に同時燃焼時における追い焚き側の吸熱量を求めることが可能となり、上記課題が解決される。
【００３１】
【発明の実施の形態】
以下、本発明の実施の形態を図面に基づいて説明する。なお、本実施形態例の説明において、従来例と同一名称部分には同一符号を付し、その重複説明は省略する。
【００３２】
本実施形態例の一缶多水路風呂給湯器は、図６に示した提案の一缶二水路風呂給湯器とほぼ同様のシステム構成を有しており、その重複説明は省略する。なお、本実施形態例では、バーナ５は、Ａ面とＢ面の複数の燃焼面を有しており、バーナ５は、バーナ５への要求燃焼熱量に応じてこれらの燃焼面を切り替えて(Ａ面燃焼とＢ面燃焼とＡＢ面燃焼とを切り替えて)燃焼させる多段燃焼方式バーナにより構成されている。同図の左側(電磁弁７ａ側)がＡ面、右側(電磁弁７ｂ側)がＢ面である。
【００３３】
図１には、本発明に係る一缶多水路風呂給湯器の一実施形態例において特徴的な制御構成が示されている。同図に示すように、本実施形態例の一缶多水路風呂給湯器は、一缶二水路風呂給湯器であり、制御装置２７に、給湯側吸熱量検出手段３１、フィードフォワード演算部３２、フィードバック演算部３３、同時燃焼時吸熱量検出手段３５、追い焚き吸熱量検出手段３６、補正係数決定部３７、燃焼判断部３９、補正係数決定許可部４１を設けて構成されており、補正係数決定部３７は、変動量算出部３８とメモリ部３４、決定部４０を有している。また、同図に示す給湯温度設定部２９は、リモコン２８に設けられている。
【００３４】
なお、同図には図示されていないが、本実施形態例の一缶多水路風呂給湯器の制御装置は、提案の一缶二水路風呂給湯器と同様に、給湯燃焼の機能と追い焚き燃焼の機能を備えており、リモコン２８の指示などに従って、これらの燃焼をそれぞれ単独で行なわせたり、同時に行なわせたりする燃焼制御部が設けられている。
【００３５】
燃焼判断部３９は、循環ポンプ１７の作動信号や電磁弁７,８の作動信号などを取り込み、給湯器が給湯単独運転中であるか、追い焚き単独運転中であるか、追い焚きと給湯の同時燃焼運転中であるかを判断する。また、燃焼判断部３９は、バーナ５の燃焼がＡ面燃焼であるか、Ｂ面燃焼であるか、ＡＢ燃焼であるかも判断する。なお、燃焼判断部３９は、前記燃焼制御部(図示せず)の制御情報を取り込んで、このような燃焼判断を行なってもよい。
【００３６】
給湯側吸熱量検出手段３１は、給湯と追い焚きの同時燃焼時における給湯側の吸熱量を、給水温度検出センサ１２の検出温度と給湯温度検出センサ１５の検出温度と流量検出センサ３の検出流量とに基づいて求めるものである。給湯側吸熱量検出手段３１は、燃焼判断部３９によって給湯器が同時燃焼中であると判断された時に、同時燃焼時における給湯側の吸熱量Ｃａを、給水温度検出センサ１２の検出温度Ｔinと、給湯温度センサ１５の検出温度Ｔoutと、流量検出センサ１３の検出流量をＱとによって、次式(１)により同時燃焼時における給湯側の吸熱量Ｃａを求め、この値を、追い焚き吸熱量検出手段３６に加える。
【００３７】
Ｃａ＝(Ｔout−Ｔin)×Ｑ・・・・・(１)
【００３８】
同時燃焼時吸熱量検出手段３５は、前記同時燃焼時におけるバーナ５の総燃焼熱量を、バーナ５に供給されるガス量に基づいて求めるものである。同時燃焼時吸熱量検出手段３５は、燃焼判断部３９によって給湯器が同時燃焼中であると判断されたときに、前記燃焼制御部の制御にしたがって比例弁１０に流されている電流に基づきバーナ５の総燃焼熱量を検出する。
【００３９】
フィードフォワード演算部３２は、給湯単独燃焼時のフィードフォワード熱量を演算するものである。フィードフォワード演算部３２は、燃焼判断部３９によって給湯器が給湯単独運転中であると判断されたときに、給水温度検出センサ１２の検出温度Ｔinと、給湯温度設定部２９に設定されている設定温度Ｔsetと、流量検出センサ１３によって検出される流量Ｑにより、次式(２)に基づいて、フィードフォワード熱量ＦＦを求め、求めた値を補正係数決定部３７の変動量算出部３８に加える。なお、このフィードフォワード熱量ＦＦの値は前記燃焼制御部(図示せず)にも加えられる。
【００４０】
ＦＦ＝(Ｔset−Ｔin)×Ｑ・・・・・(２)
【００４１】
フィードバック演算部３３は、給湯単独燃焼時のフィードバック熱量を演算するものである。フィードバック演算部３３は、燃焼判断部３９によって給湯器が給湯単独運転中であると判断されたときに、給湯温度センサ１５で検出される検出温度(給湯温度)Ｔoutが給湯温度設定部２９に設定されている設定温度Ｔsetになるように、ＰＩＤ演算などによって求めた演算値Ａと、流量検出センサ１３によって検出される流量Ｑとにより、次式(３)によってフィードバック熱量ＦＢを求め、求めた値を補正係数決定部３７の変動量算出部３８に加える。なお、この値も前記燃焼制御部に加えられ、燃焼制御部は、このフィードバック熱量と前記フィードフォワード熱量とに基づいて給湯燃焼制御を行なう。
【００４２】
ＦＢ＝Ａ×Ｑ・・・・・(３)
【００４３】
補正係数決定許可部４１は、補正係数決定部３７による補正係数決定動作の開始を許可するものであり、補正係数決定許可部４１は、図示されていないメモリ部を有し、このメモリ部に予め与えられた補正係数決定動作の禁止条件が解除された以降に補正係数決定部３７の補正係数決定動作開始を許可する許可信号を出力し、補正係数決定部３７に加える。
【００４４】
なお、この補正係数決定動作の禁止条件は、例えば、バーナ５を強制的に最小燃焼熱量で燃焼させる強制ＭＩＮ燃焼中や、バーナ５を強制的に最大燃焼熱量で燃焼させる強制ＭＡＸ燃焼中であること、給湯開始後１分以内であること、バーナ５のフィードフォワード燃焼中であること、バーナ５の燃焼面切り替え中であること、バーナ５の燃焼面切り替え後１分以内であることなどがあげられ、本実施形態例では、この他に、バーナ５のＡ面燃焼中であることも禁止条件として補正係数決定許可部４１に与えている。
【００４５】
補正係数決定許可部４１は、これらの禁止条件が解除された後に、さらに、給湯湯温が安定したか否かを判断し、給湯器が補正係数決定動作を行なうのに適した状態になったときに補正係数決定許可信号を補正係数決定部３７に加える。具体的には、補正係数決定許可部４１は、給湯温度設定部２９により設定されている給湯設定温度と給湯温度センサ１５によって検出される給湯温度との差が１℃以内の状態が連続して１５秒以上続いたときに前記補正係数決定許可信号を出力する。
【００４６】
補正係数決定部３７の変動量算出部３８は、フィードバック熱量の変動量（ＦＦＫ）を、フィードフォワード演算部３２により求めたフィードフォワード熱量（ＦＦ）と、フィードバック演算部３３により求めたフィードバック熱量（ＦＢ）とにより、ＦＦＫ＝（ＦＦ＋ＦＢ）／ＦＦの式によって求める。このフィードバック熱量の変動量演算は、予め定められる補正係数決定更新タイミング（例えば１５秒）ごとに行われる。なお、本実施形態例では、フィードバック熱量変動量ＦＦＫをパーセンテージで表わすために、前記のようにして求めたフィードバック熱量変動量ＦＦＫの値に１００をかけた値をＦＦＫＮとして（ＦＦＫＮ＝１００ＦＦＫ）おり、このＦＦＫＮの値を決定部４０に加える。
【００４７】
決定部４０は、変動量算出部３８から加えられるＦＦＫＮの値に基づき、メモリ部３４に予め与えられている補正係数決定ルールに従って、前記補正係数決定更新タイミングごとに補正係数を更新決定する。なお、本実施形態例では、同時燃焼時において燃焼するバーナ５の燃焼面に対応させて、Ｂ面燃焼時の補正係数決定ルールと、ＡＢ面燃焼時の補正係数決定ルールとが、別々に与えられている。
【００４８】
メモリ部３４には、例えば、以下のような補正係数決定ルールが与えられている。すなわち、補正係数決定更新タイミングごとに求めたフィードバック熱量の変動量(ＦＦＫ)が１よりも大きい値のとき(ＦＦＫＮが１００より大きい値のとき)には、この変動量に向けて前記更新タイミングごとに補正係数を予め与えた値だけ段階的に加算していき、前記更新タイミングごとに求めたフィードバック熱量の変動量(ＦＦＫ)が１よりも小さい値のとき(ＦＦＫＮが１００よりも小さい値のとき)には、この変動量に向けて前記更新タイミングごとに補正係数を予め与えた値だけ段階的に減算していき、前記変動量と補正係数とが等しくなった以降はこの変動量を補正係数とする補正係数決定ルールが与えられている。
【００４９】
この補正係数決定ルールに従うと、具体的には、以下のような補正係数決定動作が行われることになる。例えば、表１の(ａ）に示すように、１５秒ごとに求められるＦＦＫＮが１０８のときには、ＡＢ燃焼に対応した補正係数(表における補正係数ＦＦＫＮＡＢ)を１００から１０１，１０２，１０３・・・といったように、１５秒ごとに１ずつ増やしていって１０８に近づけ、表１の(ｂ）に示すように、１５秒ごとに求められるＦＦＫＮが９２のときには、補正係数ＦＦＫＮＡＢを１００から９９，９８，９７・・・といったように、１５秒ごとに１ずつ減らしていって９２に近づけていく補正係数決定動作が行われることになる。
【００５０】
【表１】
0003889152.tif 000002
【００５１】
また、この補正係数決定ルールに従うと、表２の(ａ）に示すように、１５秒ごとに求められるＦＦＫＮが１０８のときには、補正係数ＦＦＫＮＡＢを１００から１０１，１０２，１０３・・・といったように、１５秒ごとに１ずつ増やしていって１０８に近づけていくが、補正係数ＦＦＫＮＡＢが１０８になる前に、ＦＦＫＮが例えば１０４に変化したときには、変化後のＦＦＫＮの値である１０４に向けて、補正係数ＦＦＫＮＡＢを１ずつ加算していく。従って、変化後のＦＦＫＮが、例えば１０９のときには、補正係数ＦＦＫＮＡＢを１０９に向けて１ずつ加算していくことになる。
【００５２】
また、この補正係数決定ルールに従うと、ＦＦＫＮが１００より小さい値のときにも同様に、表２の(ｂ）に示すように、１５秒ごとに求められるＦＦＫＮが９２のときには、補正係数ＦＦＫＮＡＢを１００から９９，９８，９７・・・といったように、１５秒ごとに１ずつ減らしていって９２に近づけていくが、補正係数が９２になる前に、ＦＦＫＮが、例えば、９６に変化したときには、変化後のＦＦＫＮの値である９６に向けて補正係数ＦＦＫＮＡＢを１ずつ減算していくことになる。
【００５３】
【表２】
0003889152.tif 000003
【００５４】
さらに、メモリ部３４には、前記変動量と補正係数とが等しくなった以降に前記更新タイミングごとに求めるフィードバック熱量の変動量が変化し、かつ、該変化後の変動量(ＦＦＫ)と１との差が変化前の変動量(ＦＦＫ)と１との差よりも小さいとき(変化後のＦＦＫＮと１００との差が変化前のＦＦＫＮと１００との差よりも小さいとき)には補正係数を一気に変化後の変動量に更新する補正係数決定ルールが与えられている。
【００５５】
この補正係数決定ルールに従うと、具体的には、例えば、表３の(ａ）に示すように、１５秒ごとに求められるＦＦＫＮが１０８のときには、補正係数ＦＦＫＮＡＢを１００から１０１，１０２，１０３・・・といったように、１５秒ごとに１ずつ増やしていって１０８に近づけていき、補正係数ＦＦＫＮＡＢが１０８になった後にＦＦＫＮが１０２になったときには、補正係数ＦＦＫＮＡＢを一気に１０２にしたり、表３の(ｂ）に示すように、１５秒ごとに求められるＦＦＫＮが９２のときには、補正係数ＦＦＫＮＡＢを１００から９９，９８，９７・・・といったように、１５秒ごとに１ずつ減らしていって９２に近づけていき、補正係数ＦＦＫＮＡＢが９２になった後にＦＦＫＮが９８になったときには、補正係数ＦＦＫＮＡＢを一気に９８にする補正係数決定動作が行われる。
【００５６】
【表３】
0003889152.tif 000004
【００５７】
さらに、メモリ部３４には、前記補正係数決定更新タイミングことに求めたフィードバック熱量の変動量(ＦＦＫ)が１よりも大きい値から１よりも小さい値に変化したとき及び、前記変動量(ＦＦＫ)が１よりも小さい値から１よりも大きい値に変化したとき(前記ＦＦＫＮが１００より大きい値から１００より小さい値に変化したとき及び、ＦＦＫＮが１００より小さい値から１００より大きい値に変化したとき)には、補正係数を１とする(補正係数のパーセント表示を１００とする)補正係数決定ルールが与えられている。このルールは、変動量が上記のように変化して、フィードバック熱量の正負が逆転したときには補正係数を１とすることを意味する。
【００５８】
この補正係数決定ルールに従うと、具体的には、例えば、表４の(ａ）に示すように、１５秒ごとに求められるＦＦＫＮが１００よりも大きい値である１０８から１００よりも小さい値である９５に変化したときには、補正係数ＦＦＫＮＡＢを一気に１００にし、また、表４の(ｂ）に示すように、１５秒ごとに求められるＦＦＫＮが１００よりも小さい値である９２から１００よりも大きい値である１０５になったときには、補正係数ＦＦＫＮＡＢを一気に１００にする補正係数決定動作が行われる。
【００５９】
【表４】
0003889152.tif 000005
【００６０】
さらに、メモリ部３４には、変動量上限値と変動量下限値の両方が与えられている。なお、本実施形態例では、これらの変動量上限値および下限値も、ＦＦＫＮの値で与えられており、変動量上限値は、例えば、１１０、変動量下限値は、例えば９０とされている。
【００６１】
前記決定部４０は、前記補正係数決定更新タイミングごとに求めた変動量が予め与えられた変動量上限値を上側に超えたときには補正係数を該変動量上限値以下とする補正係数上限値決定機能と前記変動量が予め与えられた変動量下限値を下側に超えたときには補正係数を該変動量下限値以上とする補正係数下限値決定機能の両方の機能を備えている。
【００６２】
そこで、決定部４０は、例えば、表５の(ａ）に示すように、１５秒ごとに求められるＦＦＫＮが１１５のときには、補正係数ＦＦＫＮＡＢを１００から１０１，１０２，１０３・・・といったように、１５秒ごとに１ずつ増やしていくが、補正係数ＦＦＫＮＡＢが１１０になった以降は、前記加算は行なわずに、補正係数ＦＦＫＮＡＢは１１０とする。また、表５の(ｂ）に示すように、１５秒ごとに求められるＦＦＫＮが８５のときには、補正係数を１００から９９，９８，９７・・・といったように、１５秒ごとに１ずつ減らしていくが、補正係数ＦＦＫＮＡＢが９０になった以降は、前記減算は行なわずに、補正係数ＦＦＫＮＡＢは９０にする。
【００６３】
【表５】
0003889152.tif 000006
【００６４】
前記補正係数決定更新タイミングごとに加算または減算される数や、変動量上限値、変動量下限値は、バーナ５のＡＢ燃焼時とＢ面燃焼時とでは異なる値としており、これらの値を異にした補正係数決定ルールがメモリ部３４に与えられている。
【００６５】
決定部４０は、以上のような補正係数決定ルールにしたがって、補正係数を更新決定するものであり、決定部４０は、ＡＢ面燃焼時には、ＡＢ面燃焼に対応した補正係数決定ルールに従い、ＡＢ面燃焼に対応した補正係数ＦＦＫＮＡＢを決定し、Ｂ面燃焼時には、Ｂ面燃焼に対応した補正係数決定ルールに従い、Ｂ面燃焼に対応した補正係数ＦＦＫＮＢを決定するようになっている。補正係数決定部３７は、このようにして、決定部４０により更新決定した補正係数の値を追い焚き吸熱量検出手段３６に加える。
【００６６】
追い焚き吸熱量検出手段３６は、前記同時燃焼時における追い焚き側の吸熱量を求めるものであり、補正係数決定部３７から加えられる補正係数の値と、前記同時燃焼時吸熱量検出手段３５によって求められる同時燃焼時の総吸熱量と、前記給湯側吸熱量検出手段３１によって求められる給湯側の吸熱量によって、同時燃焼時における追い焚き側の吸熱量を次の関係式(４)により求める。
【００６７】
追い焚き側の吸熱量＝同時燃焼時の総吸熱量−給湯側吸熱量×補正係数・・・・・(４)
【００６８】
本実施形態例は以上のように構成されており、以下、本実施形態例の追い焚き燃焼熱量検出動作について説明する。なお、はじめに、追い焚き燃焼熱量検出動作における補正係数決定動作の概略を図５に示すフローチャートに基づいて説明し、次に、具体的な追い焚き燃焼熱量検出動作について図２から図４に示すフローチャートに基づいて説明する。
【００６９】
まず、給湯単独燃焼中であることが燃焼判断部３９により判断されたときに、図５のステップ１００で、追い焚き燃焼熱量検出動作がスタートすると、ステップＳ１で、補正係数決定許可部４１により、前記補正禁止条件があるか否かを判断し、補正禁止条件があるときにはステップ１００に戻り、ないときにはステップＳ２で、１分経過したか否かを判断し、１分経過後に、ステップＳ３で、給湯湯温が安定したか否かを判断する。そして、給湯湯温が安定したなら、ステップＳ４で１５秒経過したか否かを判断し、１５秒経過後に、ステップＳ５で、補正許可信号を補正係数決定部３７に加える。
【００７０】
そうすると、補正係数決定部３７は、ステップＳ６で、変動量算出部３８によって、フィードフォワード演算部３２によって求められるフィードフォワード熱量と、フィードバック演算部３３によって求められるフィードバック熱量とを取り込んでＦＦＫＮを求め、ステップＳ７に進む。
【００７１】
ステップＳ７では、補正係数決定部３７は、フィードバック演算部３３によって求められるフィードバック熱量が０より大きいか否かを判断し、フィードバック熱量が０より大きいと判断されたとき、すなわち、フィードバック熱量が正のときには、ステップＳ９で前記演算式の補正係数を、例えば、前記表１〜５の(ａ）に示したように、前記補正係数決定ルールにしたがって決定し、フィードバック熱量が負のときには、ステップＳ８で前記演算式の補正係数を、例えば、前記表１〜５の(ｂ）に示したように、前記補正係数決定ルールにしたがって決定する。
【００７２】
次に、本実施形態例の補正係数決定動作を説明する。まず、図２のステップ１００で、図５のステップ１００と同様に補正係数決定動作がスタートすると、補正係数決定許可部４１は、ステップ１０１で、補正禁止フラグがないことを確認し、ステップ１０２で、燃焼制御部によるバーナ５の燃焼制御が、フィードフォワード熱量（ＦＦ）＋フィードバック熱量（ＦＢ）によって制御されていることを確認し、ステップ１０３で、強制ＭＡＸ燃焼や強制ＭＩＮ燃焼や、強制給湯ＭＡＸ使用中でないことを確認し、ステップ１０４で、追い焚きと給湯の同時燃焼（同時使用）中でないことを確認し、ステップ１０５で、バーナ５がＡ面のみの燃焼中でないことを確認する。
【００７３】
そして、これらの条件が全て満たされたときには、ステップ１０６に進み、６０秒カウンターを１増やし、一方、ステップ１０１で、補正禁止フラグがあることが確認されたといったように、上記条件のうち少なくとも一つが満たされないときには、補正カウンターおよび、６０秒カウンターをクリアしてステップ１０１からやり直す。このような動作を行なうことにより、補正係数決定許可部４１は、前記補正禁止条件が解除されたことを確認する。そして、ステップ１０７で、６０秒カウンターが６００以上となり、前記補正禁止条件が解除されてから６０秒以上たったことが確認されたときには、ステップ１０８に進む。
【００７４】
ステップ１０８では、補正係数決定許可部４１は、給湯湯温が安定したか否かを確認するために、給湯設定温度と給湯温度との差が１℃未満か否かを確認し、この温度差が１℃未満のときには、ステップ１０９に進み、補正カウンターを１増やし、ステップ１１０に進む。一方、前記温度差が１℃以上のときには、ステップ１１６で、補正カウンターをクリアする。
【００７５】
ステップ１１０では、補正カウンターが１５０になって、ステップ１０８から１５秒以上たったか否か、すなわち、給湯湯温が安定してから１５秒以上たったか否かを確認し、補正カウンターが１５０になったときには、ステップ１１１で、補正カウンターをクリアして、ステップ１１２に進み、補正係数決定許可部４１は補正係数決定部３７に補正係数決定許可信号を加えて前記補正係数決定を許可する。また、湯温が安定しないときには、ステップ１０８からステップ１１０までの動作を繰り返す。
【００７６】
ステップ１１３では、補正係数決定部３７が補正係数決定許可部４１から加えられる補正係数決定許可信号を受けて、補正係数決定動作を開始する。この補正係数決定動作の開始に際し、補正係数決定部３７は、まず、変動量算出部３８によって前記の如くＦＦＫＮを算出する。また、補正係数決定部３７は、ステップ１１４で、バーナ５のＢ面燃焼用の電磁弁７ｂ(Ｂ弁)がオン(開)か否かを判断し、電磁弁７ｂがオンしているときには、図３のステップ１１７に進み、電磁弁７ｂがオンしていないときには、バーナ５が燃焼運転していないかＡ面燃焼のみであるために、ステップ１１５に戻って補正カウンターと６０秒カウンターをクリアしてからステップ１０１に戻る。
【００７７】
図３のステップ１１７では、補正係数決定部３７は、電磁弁７ａ(Ａ弁)がオンか否かを確認し、電磁弁７ａがオンのときには、ステップ１１８ａに進み、バーナ５のＡＢ面燃焼に対応した補正係数決定ルールに従って補正係数決定動作を行ない、電磁弁７ａがオフ(閉)のときには、図４のステップ１１８ｂに進んで、バーナ５のＢ面燃焼に対応した補正係数決定ルールに従って補正係数決定動作を行なう。
【００７８】
図３のステップ１１８ａに進んだときには、ステップ１１９ａで、補正係数決定動作により決定される補正係数が正であるか否か、すなわち、フィードバック熱量が正か否かが判断され、フィードバック熱量が正のときには、ステップ１２０ａに進み、フィードバック熱量が負のときには、ステップ１２９ａに進む。
【００７９】
ステップ１２０ａに進んだときには、補正係数ＦＦＫＮＡＢは１００よりも大きい値になるように決定されるが、ステップ１２１ａで再度ＦＦＫＮが１００未満か否かを確認し、ＦＦＫＮが１００未満のときには、フィードバック熱量の変動量の正負が逆転したことから、ステップ１２５ａで、１００を補正係数ＦＦＫＮＡＢの値として決定し、ステップ１２６ａで、補正禁止フラグをセットした後、図２のステップ１００に戻る。
【００８０】
また、ステップ１２１ａで、ＦＦＫＮが１００以上と判断されたときには、ステップ１２２ａで、ＦＦＫＮと補正係数ＦＦＫＮＡＢとの比較を行ない、例えば、表１の(ａ）の領域Ａに示すように、補正係数ＦＦＫＮＡＢがＦＦＫＮ未満のときには、ステップ１２３ａで、補正係数ＦＦＫＮＡＢに１を加算し、この加算によって、ステップ１２４ａで、補正係数ＦＦＫＮＡＢが前記変動量上限値である１１０を超えた(１１１以上)と判断されない限り、前記の如く、１５秒ごとに、補正係数ＦＦＫＮＡＢをＦＦＫＮに向けて１ずつ加算していく。
【００８１】
一方、ステップ１２２ａで、ＦＦＫＮと補正係数ＦＦＫＮＡＢとの比較を行なったときに、表１の(ａ)の領域Ｂに示すように、補正係数ＦＦＫＮＡＢがＦＦＫＮに達した以降は、ＦＦＫＮを補正係数ＦＦＫＮＡＢに決定する。なお、ＦＦＫＮが１１０より大きいときには、ステップ１２８ａで、１１０を補正係数ＦＦＫＮＡＢに決定する。
【００８２】
前記ステップ１１９ａから１２９ａに進んだときには、補正係数は１００よりも小さい値になるように決定されるが、ステップ１３０ａで再度ＦＦＫＮが１０１以上か否かを確認し、ＦＦＫＮが１０１以上のときには、フィードバック熱量の変動量の正負が逆転したことから、ステップ１３４ａで、１００を補正係数ＦＦＫＮＡＢの値として決定し、ステップ１３５ａで、補正禁止フラグをセットした後、図２のステップ１００に戻る。
【００８３】
また、ステップ１３０ａで、ＦＦＫＮが１０１以上と判断されたときには、ステップ１３１ａで、ＦＦＫＮと補正係数ＦＦＫＮＡＢとの比較を行ない、例えば、表１の（ｂ）の領域Ａに示すように、補正係数ＦＦＫＮＡＢがＦＦＫＮより大きい値のときには、ステップ１３２ａで、補正係数ＦＦＫＮＡＢに１を減算し、この減算によってステップ１３３ａで、補正係数ＦＦＫＮＡＢが前記変動量下限値である９０を下側に超えた（９０未満）と判断されない限り、前記の如く、１５秒ごとに、補正係数ＦＦＫＮＡＢを求めたＦＦＫＮに向けて１ずつ減算していく。
【００８４】
一方、ステップ１３１ａで、ＦＦＫＮと補正係数ＦＦＫＮＡＢとの比較を行なったときに、表１の(ｂ)の領域Ｂに示すように、補正係数ＦＦＫＮＡＢがＦＦＫＮに達した以降は、ＦＦＫＮを補正係数ＦＦＫＮＡＢに決定する。なお、ＦＦＫＮが９０より小さいときには、ステップ１３７ａで、９０を補正係数ＦＦＫＮＡＢに決定する。
【００８５】
このような補正係数ＦＦＫＮＡＢの決定動作が行われると、再び、図２のステップ１０１に戻るが、前記補正係数決定動作禁止条件が解除された後は、ステップ１０１からステップ１０６まで瞬時に進むため、ステップ１０８からの動作が繰り返し行われることになり、補正係数ＦＦＫＮＡＢの更新決定動作が補正係数決定更新タイミングである１５秒ごとに行われることになる。
【００８６】
なお、前記ステップ１１７から図４のステップ１１８ｂへ進んだ場合は、前記ステップ１１８ａと同様の動作が、Ｂ面燃焼に対応した補正係数決定ルールに従ってステップ１１８ｂで行われ、ステップ１１９ａと同様の動作が、Ｂ面燃焼に対応した補正係数決定ルールに従ってステップ１１９で行われるといったように、ステップ１１８ａ〜１３７ａと同様にして、これらの各ステップ番号に対応するステップ１１８ｂ〜ステップ１３７ｂまでの動作が、Ｂ面燃焼に対応した補正係数決定部ケルにしたがって行われ、補正係数ＦＦＫＮＢの更新決定動作が１５秒ごとに行われる。
【００８７】
そして、このようにして、補正係数決定部３７により決定した補正係数ＦＦＫＮＡＢは、時々刻々と追い焚き吸熱量検出手段３６に加えられ、追い焚き吸熱量検出手段３６は、追い焚きと給湯の同時燃焼時に、この補正係数の値と、給湯側吸熱量検出手段３１により求められる給湯燃焼熱量と、同時燃焼時吸熱量検出手段３５により求められるバーナ５の総燃焼熱量によって、前記関係式（４）により前記同時燃焼時における追い焚き燃焼熱量を求める。なお、この追い焚き燃焼熱量の算出に際し、追い焚き吸熱量検出手段３６は、補正係数決定部３７から加えられるＦＦＫＮＡＢの値を１００で割って補正係数を求めてこの補正係数を前記演算式（４）に代入する。
【００８８】
本実施形態例によれば、追い焚き吸熱量検出手段による追い焚き燃焼熱量検出に際し、上記の如く、給湯単独燃焼時のフィードフォワード熱量とフィードバック熱量をあわせたトータル熱量のうちのフィードバック熱量の変動量に基づいて、前記関係式(４)の補正係数を補正係数決定部３７によって求め、この補正係数を関係式(４)に代入することにより、追い焚きと給湯の同時燃焼時における追い焚き側の吸熱量を求めるために、たとえ給湯温度センサ１５や給水温度検出センサ１２や流量検出センサ１３のセンサ出力にばらつきが生じても、非常に正確に、追い焚き側の吸熱量を求めることができる。
【００８９】
ところで、本出願人は、前記湯張りのときに風呂の水量を正確に検出することにより、設定水位までの湯張りを正確に行なえるような、風呂水量演算機能を備えた一缶二水路燃焼機器を提案しており(未だ公開になっていない)、この提案の燃焼機器においては、追い焚き熱交換器の通水が受け取る吸熱量と、この吸熱量に対する風呂の温度上昇分とに基づき風呂の水量を検出するようにしている。また、この燃焼機器においては、前記追い焚き熱交換器の通水が受け取る吸熱量を求めるときに、同時燃焼時に追い焚き熱交換器の通水が受け取る吸熱量(追い焚き側の吸熱量)と、追い焚き単独燃焼時に追い焚き熱交換器の通水が受け取る吸熱量をそれぞれ検出して、これらの検出吸熱量に基づいて風呂の水量を検出するようにしている。
【００９０】
そのため、この提案の燃焼機器において、同時燃焼時に追い焚き熱交換器の通水が受け取る吸熱量を求める際に、本実施形態例の一缶多水路風呂給湯器のように、追い焚き燃焼熱量を前記補正係数を含む演算式によって求めるようにすれば、同時燃焼時における追い焚き側の吸熱量、すなわち、前記提案の燃焼機器における同時燃焼時の追い焚き熱交換器の通水が受け取る吸熱量を非常に正確に求めることができるために、より一層正確に前記風呂の水量を検出できるようにすることができる。
【００９１】
なお、本発明は上記実施形態例に限定されることはなく様々な実施の態様を採り得る。例えば、上記実施形態例では、補正係数決定許可部４１を設け、補正係数決定許可部４１に、前記のような補正係数決定動作禁止条件を与えたが、補正係数決定動作禁止条件は特に限定されるものではなく、給湯器の仕様等に応じて適宜設定されるものであり、例えば、上記実施形態例の補正係数決定許可部４１に与えたＡ面燃焼中であることは、補正係数決定動作禁止条件としなくてもよい。補正係数決定動作禁止条件は、この条件を与えることにより、給湯燃焼運転状況やそれに伴う給湯湯温が安定し、給湯単独運転中におけるフィードバック熱量の変動量を正確に求めることができるようにすればよい。
【００９２】
また、補正係数決定許可部４１は省略することもできる。ただし、補正係数決定許可部４１を設けて、補正係数決定禁止条件が解除された以降に補正係数決定部３７の補正係数決定動作を許可するようにして、上記のように、給湯燃焼運転状況やそれに伴う給湯湯温が安定してから補正係数決定部３７による補正係数決定動作を行なうようにすると、非常に正確に補正係数の決定動作を行なうことができる。
【００９３】
さらに、上記実施形態例では、メモリ部３４に前記のような様々な補正係数決定ルールを与えたが、メモリ部３４に与える補正係数決定ルールは特に限定されるものではなく、適宜設定されるものである。例えば、上記実施形態例では、前記変動量上限値と変動量下限値の両方をメモリ部３４に与えたが、これらの値のうち、いずれか一方のみを与えることができる。
【００９４】
例えば、前記提案の風呂水量演算機能を備えた一缶二水路燃焼機器において、本発明を適用するときに、前記補正係数が正方向に大きくなると前記風呂水量が小さく演算されることから、補正係数が正方向に極端に大きく決定されると、湯張りされる風呂水位が設定水位よりも大きくなって風呂の湯が浴槽からあふれることも考えられるので、このような危険を回避するためには、少なくとも変動量上限値をメモリ部３４に与え、補正係数決定部３７は、補正係数決定更新タイミングごとに求めた変動量が変動量上限値を上側に超えたときには補正係数を変動量上限値以下とすることが好ましい。
【００９５】
さらに、上記実施形態例では、バーナ５は燃焼面切り替え方式のバーナ装置とし、同時燃焼時に燃焼するバーナの燃焼面に対応させて補正係数決定ルールを与えたが、バーナ５を燃焼面切り替え方式のバーナ装置とした場合も、例えば１つの補正係数決定ルールを与えてもよい。
【００９６】
さらに、上記実施形態例では、バーナ５は燃焼面切り替え方式のバーナ装置としたが、バーナ５は必ずしも燃焼面切り替え方式のバーナ装置とするとは限らず、１つの燃焼面を有するバーナ装置としてもよい。
【００９７】
さらに、上記実施形態例では、補正係数決定部３７は、変動量算出部３８により求めたフィードバック熱量の変動量(ＦＦＫ)をパーセンテージにより表わしてＦＦＫＮとし、このＦＦＫＮの値と、補正係数をパーセンテージで表わした補正係数決定ルールに基づいて、前記関係式(４)の補正係数を決定したが、ＦＦＫと補正係数をそのままの値で表わした補正係数決定ルールとに基づいて前記補正係数を決定してもよい。
【００９８】
さらに、上記実施形態例では、フィードバック熱量の変動量(ＦＦＫ)をＦＦＫ＝(ＦＦ＋ＦＢ)／ＦＦの式により求めたが、フィードバック熱量の変動量は、必ずしもこの式により求めるとは限らず、例えば、フィードバック熱量の変動量の値をそのまま用い、この値とこの値に対応させて与えた補正係数決定ルールに従って補正係数を求めるようにしてもよい。
【００９９】
さらに、上記実施形態例では、一缶多水路風呂給湯器を図６に示したシステム構成の一缶二水路風呂給湯器としたが、本発明の一缶多水路風呂給湯器のシステム構成は特に限定されるものではなく、適宜設定されるものであり、一缶二水路風呂給湯器に限らず、給湯熱交換器と追い焚き熱交換器が設けられて、これら熱交換器が一体化され、この一体化された熱交換器加熱するを共通のバーナを備えた一缶多水路風呂給湯器であればよい。
【０１００】
【発明の効果】
本発明によれば、追い焚きと給湯の同時燃焼時における追い焚き燃焼熱量を求めるに際し、前記同時燃焼時における給湯側の吸熱量を、給湯単独燃焼時におけるバーナへのトータル供給熱量のうちの、フィードバック熱量の変動量に基づいて補正し、この補正した値を同時燃焼時における総燃焼熱量から差し引いて求めるために、給湯側の吸熱量を求めるために用いられる給水温度検出センサや給湯温度センサや流量検出センサのセンサ出力にばらつきが生じても、正確に同時燃焼時における追い焚き側の吸熱量を求めることができる。
【０１０１】
また、フィードバック熱量の変動量（ＦＦＫ）を、フィードフォワード熱量(ＦＦ)とフィードバック熱量（ＦＢ）とにより、ＦＦＫ＝（ＦＦ＋ＦＢ）／ＦＦの式によって求めるようにした本発明によれば、このような式を用いてフィードバック熱量の変動量を求めることにより、フィードバック熱量の変動量を適切に求めることができるために、この値を用いて前記補正係数を求めることにより、補正係数をより一層正確に求めて同時燃焼時における追い焚き燃焼熱量を正確に求めることができる。
【０１０２】
さらに、補正係数決定部は、フィードバック熱量の変動量を予め定められる補正係数決定更新タイミングごとに求め、予め与えられる補正係数決定ルールに従って前記補正係数決定更新タイミングごとに補正係数を更新する構成とした本発明によれは、補正係数を補正係数決定ルールに従って補正係数決定ルール更新タイミングごとに更新することにより、給水温度検出センサなどの各センサのばらつきに左右されることなく、より一層正確に補正係数を求めて同時燃焼時における追い焚き燃焼熱量を求めることができる。
【０１０３】
さらに、補正係数決定部には、補正係数決定更新タイミングごとに求めたフィードバック熱量の変動量が１よりも大きい値のときには該変動量に向けて前記更新タイミングことに補正係数を予め与えた値だけ段階的に加算していき、前記更新タイミングごとに求めたフィードバック熱量の変動量が１よりも小さい値のときには該変動量に向けて前記更新タイミングことに補正係数を予め与えた値だけ段階的に減算していくといったように、補正係数決定ルールを与え、前記更新タイミングごとに求めたフィードバック熱量の変動量を直接前記関係式に代入せずに補正係数決定ルールに従って補正係数を更新決定する本発明によれば、補正係数決定更新タイミングごとに求めたフィードバック熱量の変動量が、たとえノイズなどによって適切でない値だったとしても、その値を直接前記関係式に代入しないことから、より適切に同時燃焼時における追い焚き燃焼熱量を求めることができる。
【０１０４】
さらに、補正係数決定部は、補正係数決定更新タイミングごとに求めた変動量が予め与えられた変動量上限値を上側に超えたときには補正係数を該変動量上限値以下とする補正係数上限値決定機能と前記変動量が予め与えられた変動量下限値を下側に超えたときには補正係数を該変動量下限値以上とする補正係数下限値決定機能の少なくとも一方の機能を備えている本発明によれば、補正係数決定更新タイミングごとに求めたフィードバック熱量の変動量が、たとえノイズなどによって適切でない値だったとしても、その値を直接前記関係式に代入しないことから、より適切に同時燃焼時における追い焚き燃焼熱量を求めることができる。
【０１０５】
さらに、バーナは複数の燃焼面を有しバーナへの要求燃焼熱量に応じてこれらの燃焼面を切り替えて燃焼させる多段燃焼方式バーナにより構成され、同時燃焼時において燃焼するバーナの燃焼面に対応させて補正係数決定ルールが与えられている本発明によれば、バーナの燃焼面に対応させて補正係数決定ルールを与えることにより、より一層適切に補正係数を求めることができるために、より適切に同時燃焼時における追い焚き燃焼熱量を求めることができる。
【０１０６】
さらに、補正係数決定部による補正係数決定動作の開始を許可する補正係数決定許可部が設けられており、該補正係数決定許可部は予め与えられた補正係数決定動作の禁止条件が解除された以降に補正係数決定部の補正係数決定動作開始を許可する構成の本発明によれば、補正係数禁止条件が解除された以降に補正係数決定動作を開始することにより、より一層適切に、かつ、正確に補正係数を求めることができるために、より適切に同時燃焼時における追い焚き燃焼熱量を求めることができる。
【図面の簡単な説明】
【図１】本発明に係る一缶多水路風呂給湯器の一実施形態例に設けられる追い焚き燃焼熱量算出用制御部を示す要部構成図である。
【図２】上記実施形態例の一缶多水路風呂給湯器における補正係数決定動作を示すフローチャートである。
【図３】上記実施形態例の一缶多水路風呂給湯器における補正係数決定動作を図２に続いて示すフローチャートである。
【図４】上記実施形態例の一缶多水路風呂給湯器における補正係数決定動作を図３に続いて示すフローチャートである。
【図５】上記実施形態例の一缶多水路風呂給湯器における補正係数決定動作の概略を示すフローチャートである。
【図６】一缶二水路風呂給湯器の一例を示すシステム構成図である。
【符号の説明】
２  給湯熱交換器
３  追い焚き熱交換器
５  バーナ
１２  給水温度検出センサ
１３  流量検出センサ
１５  給湯温度センサ
３１  給湯側吸熱量検出手段
３５  同時燃焼時吸熱量検出手段
３６  追い焚き吸熱量検出手段
３７  補正係数決定部
３８  変動量算出部
４０  決定部
４１  補正係数決定許可部
【図１】
0003889152.tif 000007
【図２】
0003889152.tif 000008
【図３】
0003889152.tif 000009
【図４】
0003889152.tif 000010
【図５】
0003889152.tif 000011
【図６】
0003889152.tif 000012